(57)【要約】【課題】分電盤内にアースバーを複数枚設置しても有効利用可能な空間を確保しやすくすること。【解決手段】分電盤内に設置されるアース端子ユニット１であって、それぞれが電気的に独立する複数のアースバー１１と、複数のアースバーを固定する固定部１２と、分電盤に設置するための設置部１３とを備えた固定設置部１４とを備え、複数のアースバーの幅広面１５が向かい合うように固定部に固定された構成とする。【選択図】図３
2019103317.tif 000002
【特許請求の範囲】
【請求項１】
分電盤内に設置されるアース端子ユニットであって、それぞれが電気的に独立する複数のアースバーと、複数のアースバーを固定する固定部と、分電盤に設置するための設置部とを備えた固定設置部とを備え、複数のアースバーの幅広面が向かい合うように固定部に固定されたアース端子ユニット。
【請求項２】
アース線が接続される電線固定部と、アースバーの少なくとも一方に接続する接続部とを備えたアース端子部を備え、前記アース端子部をアースバーの板厚方向より差し込んで接続することによりアース線とアースバーとを導通可能とした請求項１に記載のアース端子ユニット。
【請求項３】
固定設置部にそれぞれが電気的に独立する複数の出線用端子部を備え、各出線用端子部は、固定部に固定された前記アースバーとそれぞれ導通する請求項１又は２に記載のアース端子ユニット。
【発明の詳細な説明】
【技術分野】
【０００１】
本発明は、分電盤内に配置されるアース端子ユニットに関するものである。
【背景技術】
【０００２】
特許文献１に記載されているように、分電盤にアースバーを設置することが知られている。アースバーは接地のために用いられるものであり、負荷機器の接地線が接続される。
【先行技術文献】
【特許文献】
【０００３】
【特許文献１】特開２００５−１４３２２２号公報
【０００４】
ところで、分電盤内に漏電保護機能を備えた漏電遮断器と、漏電保護機能を備えない回路遮断器が混在する場合、それらの遮断器に接続される負荷機器の接地線は、共通のアースバーに接続してはならないのが原則である。そのため、漏電遮断器用のアースバーと回路遮断器用のアースバーを個々に設ける必要があるが、アースバーを個々に設けることによって、分電盤内における有効利用可能な空間が圧迫され、狭くなってしまう。
【発明の概要】
【発明が解決しようとする課題】
【０００５】
本件の発明者は、この点について鋭意検討することにより、解決を試みた。本発明の課題は、分電盤内にアースバーを複数枚設置しても有効利用可能な空間を確保しやすくすることである。
【課題を解決するための手段】
【０００６】
上記課題を解決するため、分電盤内に設置されるアース端子ユニットであって、それぞれが電気的に独立する複数のアースバーと、複数のアースバーを固定する固定部と、分電盤に設置するための設置部とを備えた固定設置部とを備え、複数のアースバーの幅広面が向かい合うように固定部に固定されたアース端子ユニットとする。
【０００７】
また、アース線が接続される電線固定部と、アースバーの少なくとも一方に接続する接続部とを備えたアース端子部を備え、前記アース端子部をアースバーの板厚方向より差し込んで接続することによりアース線とアースバーとを導通可能とした構成することが好ましい。
【０００８】
また、固定設置部にそれぞれが電気的に独立する複数の出線用端子部を備え、各出線用端子部は、固定部に固定された前記アースバーとそれぞれ導通する構成することが好ましい。
【発明の効果】
【０００９】
本発明では、分電盤内にアースバーを複数枚設置しても有効利用可能な空間を確保しやすくすることが可能となる。
【図面の簡単な説明】
【００１０】
【図１】分電盤の斜視図である。
【図２】分電盤内に取り付けられるユニットの斜視図である。
【図３】複数種類のアース端子部を備えたアース端子ユニットの斜視図である。
【図４】図３とは異なる種類のアース端子部を備えたアース端子ユニットの斜視図である。
【図５】アース端子ユニットの分解斜視図である。
【図６】図４とは異なる種類の固定設置部を備えたアース端子ユニットの斜視図である。
【図７】アース端子ユニットの分解斜視図である。
【図８】アース線が接続されたアース端子部の斜視図である。但し、電線固定部が一つなのに対し接続部は二つである。
【図９】アース線が接続されたアース端子部の斜視図である。但し、電線固定部が一つなのに対し接続部は一つである。
【図１０】アース線が接続されたアース端子部の斜視図である。但し、電線固定部が十個なのに対し接続部は二つである。
【発明を実施するための形態】
【００１１】
以下に発明を実施するための形態を示す。本実施形態のアース端子ユニット１は、分電盤内に設置され、分岐ブレーカ８３に接続される負荷機器の接地を行うものである。このアース端子ユニット１は、それぞれが電気的に独立する複数のアースバー１１を備えている。また、複数のアースバー１１を固定する固定部１２と、分電盤に設置するための設置部１３と、を備えた固定設置部１４を備えている。更には、複数のアースバー１１の幅広面１５が向かい合うように固定部１２に固定されている。このため、分電盤内にアースバー１１を複数枚設置しても有効利用可能な空間を確保しやすくなる。
【００１２】
図１及び図２に示すことから理解されるように、実施形態の分電盤内には、取付レール８１と、取付レール８１を渡すように設けられ、主幹ブレーカ８２や分岐ブレーカ８３などの内部機器を取り付ける取付ベース８４などが備えられている。なお、分電盤内の構成はどのようなものであっても良く、例えば、分電盤内に、一枚の基板を設け、基板上に主幹ブレーカ８２と分岐ブレーカ８３などの内部機器が取付けられる構成でもよい。
【００１３】
アース端子ユニット１は、取付ベース８４上や、キャビネット９の背面上に配置するなど、いずれの場所に設置されても構わないが、取付レール８１を備える場合には、分岐ブレーカ８３の負荷側であって、取付レール８１上に設けることが好ましい。また、基板を備える場合には、分岐ブレーカ８３の負荷側に設けることが好ましい。そうすることによって、分電盤内の空間を圧迫することがなくなるだけでなく、分岐ブレーカ８３への配線と同時にアース配線ができるため、配線作業性が向上する。
【００１４】
図３及び図４に示すことから理解されるように、実施形態のアース端子ユニット１は、アースバー１１に接続するアース端子部１９を備えている。アース端子部１９は、アース線５１が接続される電線固定部１７と、アースバー１１に接続される接続部１８を備えている。なお、電線固定部１７は、速結端子構造としてもよい。このようにすれば、アース線５１を速結でき、アース配線作業を容易にすることができる。また、ねじ端子構造としても良い。こうすれば、圧着端子を接続でき、様々な電線サイズのアース線５１を接続できる。
【００１５】
図５に示すことから理解されるように、実施形態においては、アース端子部１９の接続部１８は、略コ字状に形成され、アースバー１１の板厚方向に跨るように接続される。また、接続部１８は、アースバー１１と電気的に接続する接続端子を備えている。なお、接続端子は、略コ字状の弾性部材を用い、アースバー１１を挟み込むように電気的に接続され、導通可能となるものであってもよい。また、板状部材を用い、アースバー１１に接触することで、電気的に接続され、導通可能となるものであってもよい。
【００１６】
実施形態の接続部１８の接続端子と、電線固定部１７とは、アース端子部１９の内部で電気的に接続されている。つまり、アース端子部１９をアースバー１１に接続した状態で、電線固定部１７にアース線５１を接続すると、アース線５１とアースバー１１とが電気的に接続され、導通可能となる。
【００１７】
アース線５１が接続される電線固定部１７と、アースバー１１の少なくとも一方に接続する接続部１８と、を備えたアース端子部１９をアースバー１１の板厚方向より差し込んで接続するようにすれば、簡易にアースバー１１とアース線５１を接続させることができる。
【００１８】
アース端子部１９は、接続部１８を１つのみ備える構成とすれば、接続するアースバー１１を明確にし、配線ミスを生じさせないようにすることができる。また、複数のアースバー１１に接続するように、複数の接続部１８を備える構成とすれば、アースバー１１へのアース端子部１９の接続強度を高めることができる。
【００１９】
複数の接続部１８を備える場合には、全ての接続部１８に接続端子を備えるようにしてもよいし、一部の接続部１８に接続端子を備えるようにしてもよい。複数の接続部１８を備え、その全てに接続端子を備える場合には、１つの接続部１８に１つの接続端子が電気的に接続するように構成されることが好ましい。また、接続端子の上方に電気的に接続する電線固定部１７を形成することが好ましい。
【００２０】
実施形態では、アース端子ユニット１とキャビネット９とを電気的に接続することによって、接地を行う。この場合、アース端子部１９の電線固定部１７とキャビネット９に設けられたアース端子９２とを接続することで、接地を行っても構わないが、固定設置部１４に出線用端子部１６を設け、出線用端子部１６とキャビネット９のアース端子９２を接続することで、接地を行うことが好ましい。また、固定設置部１４にそれぞれが電気的に独立する複数の出線用端子部１６を備え、各出線用端子部１６は、固定部１２に固定された前記アースバー１１とそれぞれ導通するように構成することが好ましい。
【００２１】
実施形態では、アースバー１１固定用の固定ねじ３１と出線用端子部１６の両方に接続されるＬ字状の導通金具３２を固定設置部１４に設けることによって、固定ねじ３１と出線用端子部１６が電気的に接続され、その結果、アースバー１１と出線用端子部１６が導通可能となる。なお、固定設置部１４に設けられた複数の出線用端子部１６を、固定されたアースバー１１と、それぞれ電気的に接続させることで、アースバー１１毎に出線用端子部１６を分けることができる。例えば、固定設置部１４に複数の出線用端子部１６を設ける場合には、１つのアースバー１１と１つの出線用端子部１６が対応して、電気的に接続されるようにすることで、漏電遮断用のアースバー１１と、回路遮断用のアースバー１１が接続することを回避できる。
【００２２】
なお、別の実施形態として、図６に示すように、アースバー１１の端部とキャビネット９のアース端子９２を接続することで、接地を行うようにしてもよい。このとき、図６及び図７に示すことから理解されるように、アースバー１１は端部よりも内側で固定部１２により固定されることで、アースバー１１の端部が露出し、作業性が良くなる。
【００２３】
アース端子部１９は、図８に示すように、２本のアースバー１１の両方に跨るように２つの接続部１８を設けるものであってもよいし、図９に示すように、いずれか１本のアースバー１１に跨るように１つの接続部１８を設けるものであってもよい。また、１つのアース端子部１９に１本のアースバー１１と電気的に接続する電線固定部１７を１つのみ設ける構成としてもよいが、図１０に示すように、１本のアースバー１１と電気的に接続する電線固定部１７を複数備える構成としてもよい。そうすることで、部品点数の削減となる。
【００２４】
以上、一つの実施形態について説明してきたが、本発明は上記実施形態に限定されることはなく、各種の態様とすることが可能である。例えば、アース端子ユニットに、アースバーと接続するアース端子部が備わっていない場合には、アースバーに接続部を設け、負荷機器のアース線を接続部にねじ固定することで、負荷機器を接地するようにしてもよい。
【符号の説明】
【００２５】
１  アース端子ユニット
１１  アースバー
１２  固定部
１３  設置部
１４  固定設置部
１５  幅広面
１６  出線用端子部
１７  電線固定部
１８  接続部
５１  アース線
８３  分岐ブレーカ
【図１】
2019103317.tif 000003
【図２】
2019103317.tif 000004
【図３】
2019103317.tif 000005
【図４】
2019103317.tif 000006
【図５】
2019103317.tif 000007
【図６】
2019103317.tif 000008
【図７】
2019103317.tif 000009
【図８】
2019103317.tif 000010
【図９】
2019103317.tif 000011
【図１０】
2019103317.tif 000012